(57)【要約】      （修正有）【課題】商品札が正面を向き、その向きを保持することが可能なプランター用として適した商品札支持棒を提供する。【解決手段】この考案にかかる商品札支持棒は、プランタの土壌部分に差し込んで使用するプランター用の商品札支持棒であって、最上部に設けられ、孔が開けられた商品札を挿入するフック１と、当該フックの下部に設けられ、商品札を支持するための商品札支持部２と、下部に設けられた第一の幅広部３と、第二の幅広部４とを備えたことを特徴とするものである。【選択図】図１
0003207084.tif 000002
【実用新案登録請求の範囲】
【請求項１】
プランタの土壌部分に差し込んで使用するプランター用の商品札支持棒であって、
最上部に設けられ、孔が開けられた商品札を挿入するフックと、
当該フックの下部に設けられ、商品札を支持するための商品札支持部と、
下部に設けられた幅広部と
を備えたことを特徴とする商品札支持棒。
【請求項２】
上記フックの断面は、矩形形状である
ことを特徴とする請求項１に記載の商品札支持棒。
【請求項３】
上記商品札支持部は、上記フックに挿入された上記商品札前面が斜め上方に向くように、傾斜している
ことを特徴とする請求項１または２に記載の商品札支持棒。
【請求項４】
上記幅広部は、当該プランター用商品札支持棒に沿って複数設けられ、
当該複数設けられた幅広部の中間部は窪みを有している
ことを特徴とする請求項１から３のいずれかに記載の商品札支持棒。
【考案の詳細な説明】
【技術分野】
【０００１】
本考案は、陳列物に商品札や値札を支持するための棒状体に関するものであり、特に、植物を栽培するプランター用に使用するものである。
【背景技術】
【０００２】
商品を陳列する際には、商品を説明したり、商品名を表示するための商品札が設けられる。一般の商品の場合には、商品に貼り付けたり、糸で取り付けたりするのが普通である。
観賞用等の植物は、プランタに植えられた状態で販売されるが、商品札や値札は、糸で枝等に吊るされる場合が多い。
【０００３】
また、商品自体を陳列するための掛止具も提案されている。この掛止具は、商品の陳列時におけるその方向性の統一化が図れて顧客の視認性向上に寄与できるものである（例えば、特許文献１）。
【先行技術文献】
【特許文献】
【０００４】
【特許文献１】実登３１６７５６４号公報
【考案の概要】
【考案が解決しようとする課題】
【０００５】
特許文献１において開示されているように、陳列される商品は、方向性の統一化が図れて顧客の視認性が向上されるべきである。同様のことは、商品札においても言えるが、現状では、そのことはほとんど考慮されていない。
例えば、植物を販売する際において、商品札を糸で枝等に吊るした場合、商品札が回転して裏返しになってしまったり、他の枝に隠れたりして、買い物客から見えにくくなってしまう。
【０００６】
この考案は上記問題点を解決するためになされたもので、商品札が正面を向き、その向きを保持することが可能なプランター用商品札支持棒を提案するものである。
【課題を解決するための手段】
【０００７】
この考案に係る商品札支持棒は、プランタの土壌部分に差し込んで使用するプランター用商品札支持棒であって、最上部に設けられ、孔が開けられた商品札を挿入するフックと、当該フックの下部に設けられ、商品札を支持するための商品札支持部と、下部に設けられた幅広部とを備えたことを特徴とする。
【０００８】
また、この考案に係る商品札支持棒は、フックの断面が矩形形状であることを特徴とする。
【０００９】
また、この考案に係る商品札支持棒は、商品札支持部が、上記フックに挿入された商品札前面が斜め上方に向くように傾斜していることを特徴とする。
【００１０】
さらに、この考案に係る商品札支持棒は、幅広部が当該プランター用商品札支持棒に沿って複数設けられ、当該複数設けられた幅広部の中間部は窪みを有していることを特徴とする。
【考案の効果】
【００１１】
本考案は上記のように構成されているので、プランター用の商品札を支持するものとして、最適な形状であり、以下に述べる優れた特長を有している。
第一に、フックが矩形であるので、商品札に開ける穴をフックに合わせた矩形形状とすれば、商品札はフックを中心に回転することがなく、常に商品札の向きを正しい角度に保つことができる。
【００１２】
第二に、フックに挿入された商品札前面が斜め上方に向くように、商品札支持部が傾斜しているため、通常、購買者の目線より下方に位置する商品札が、購買者から良く見える角度になる。
【００１３】
第三に、下部に幅広部を設けているので、商品札支持棒が土壌中で回転しない。したがって、商品札が前面を向くように商品札支持棒を土壌に差し込めば、その向きを維持できる。
なお、商品札支持棒はプランターを陳列後に、土壌中に差し込むこともあるが、予め商品札支持棒を差し込んだプランターを陳列する場合もある。例えば、植物生産業者が商品札の付いた商品札支持棒を差し込んだ状態で出荷するケース等である。この場合、植物生産業者は、植物がより美しく見える面と、商品札の面が合うように、商品札支持棒を土壌中に差し込む。販売者は、商品札の面が購買者に見やすい位置になるように陳列すれば、植物がより美しく見える面も購買者に良く見える面になり、陳列の際に悩むことなく短時間で陳列作業を行うことができる。
【００１４】
第四に、幅広部を複数設け、その間に窪みを設けたことで、窪みから折ることが容易となり、植物の高さ等に応じて、プランター用商品札支持棒の長さを容易に調整できる。
【図面の簡単な説明】
【００１５】
【図１】本考案の商品札支持棒の（ａ）側面図と（ｂ）正面図である。
【図２】（ａ）は商品札の正面図、（ｂ）は商品札を本考案の商品札支持棒に取り付けた際の側面図である。
【図３】本考案の商品札支持棒の使用例である。
【考案を実施するための形態】
【００１６】
以下において、本考案に係る実施の形態について詳述する。なお、この実施形態は本考案を具体化した良好な一例であって、これに限定されるものではない。
まず、本考案に係る商品札支持棒の構成について説明する。
【００１７】
＜構成＞
図１は、本考案の商品札支持棒の（ａ）側面図と（ｂ）正面図である。
商品札支持棒は、プランタの土壌部分に差し込んで使用するものであり、例えば、樹脂の成型品である。商品札支持棒の主な構成は、棒状体の最上部に設けられ、孔が開けられた商品札を挿入するフック１と、フック１の下部に設けられ、商品札を支持するための商品札支持部２と、下部に設けられた第一の幅広部３と、第二の幅広部４とからなる。
【００１８】
フック１は、孔が開けられた商品札を上から挿入するためのものである。通常のフックは、断面が丸形状のものが一般的であるが、本考案においては、断面が四角形等の矩形形状が望ましい。
【００１９】
商品札支持部２は、フック１の斜め下部に設けられている。フック１に孔が開けられた商品札を挿入した際に、商品札の背面の一部がこの商品札支持部２に当接する。商品札支持部２は、フック１に挿入された商品札前面が斜め上方に向くように傾斜している。
【００２０】
第一の幅広部３と第二の幅広部４とは、商品札支持棒の最下部に、上下に並んで設けられている。第一の幅広部３と第二の幅広部４との間には、窪み部５が設けられ、この部分で容易に折れるようになっている。すなわち、窪み部５において商品札支持棒を折ることで、第二の幅広部４を切り離し、商品札支持棒の長さを調節することができる。植物の高さ等に応じて、商品札支持棒を最適な長さにするためである。
なお、商品札支持棒の長さを調節する必要がない場合には、幅広部は必ずしも複数設ける必要はなく、１つであっても良い。あるいは、さらに細かく調節した場合には、幅広部を３つ以上設けても良い。
【００２１】
＜使用方法＞
次に、図２および図３を用いて、商品札支持棒の使用例について説明する。
図２は、商品札を商品札支持棒のフック１に取り付ける際の説明図であり、
（ａ）は商品札の正面図、（ｂ）は商品札を本考案の商品札支持棒に取り付けた際の側面図である。
【００２２】
商品札１０は、例えば、上端の中央付近に四角の孔１０ａが開けられている。この孔の形状は、フック１の断面に合わせた矩形形状であれば良い。そして、商品札１０の商品情報が描かれた面が上になるように、孔１０ａをフック１に挿入する。挿入した状態が、（ｂ）の状態であり、商品札１０の背面が商品札支持部２に支持され、商品札１０は斜め上を向く。
【００２３】
一般に、人は斜め下方向が見やすいため、商品は人の目線よりも下方に陳列されるのが普通である。したがって、商品札１０が斜め上を向くことで、買い物客等が商品札１０を視認しやすくなる。
【００２４】
また、フック１の断面を丸形状ではなく矩形形状にしていることで、商品札１０がフック１を中心に回転することがなく、常に正しい角度に商品札１０を保持することができる。
【００２５】
次に、プランターに商品札支持棒を挿入した際の使用例を図３に示す。
商品札１０の孔１０ａをフック１に挿入した図２（ｂ）の状態の商品札支持棒を、プランター２０の土壌部分に差し込む。土壌中に差し込まれた部分は、第一の幅広部３や第二の幅広部４であるので、土壌中で商品札支持棒が回転することがなく、商品札１０を適切な向きに保つことができる。
【００２６】
＜特長＞
最後に本考案の特長についてまとめる。
第一に、フックが矩形であるので、商品札に開ける穴をフックに合わせた矩形形状とすれば、商品札はフックを中心に回転することがなく、常に商品札の向きを正しい角度に保つことができる。
【００２７】
第二に、フックに挿入された商品札前面が斜め上方に向くように、商品札支持部が傾斜しているため、通常、購買者の目線より下方に位置する商品札が、購買者から良く見える角度になる。
【００２８】
第三に、下部に幅広部を設けているので、商品札支持棒が土壌中で回転しない。したがって、商品札が前面を向くように商品札支持棒を土壌に差し込めば、その向きを維持できる。
なお、商品札支持棒はプランターを陳列後に、土壌中に差し込むこともあるが、予め商品札支持棒を差し込んだプランターを陳列する場合もある。例えば、植物生産業者が商品札の付いた商品札支持棒を差し込んだ状態で出荷するケース等である。この場合、植物生産業者は、植物がより美しく見える面と、商品札の面が合うように、商品札支持棒を土壌中に差し込む。販売者は、商品札の面が購買者に見やすい位置になるように陳列すれば、植物がより美しく見える面も購買者に良く見える面になり、陳列の際に悩むことなく短時間で陳列作業を行うことができる。
【００２９】
第四に、幅広部を複数設け、その間に窪みを設けたことで、窪みから折ることが容易となり、植物の高さ等に応じて、プランター用商品札支持棒の長さを容易に調整できる。
【符号の説明】
【００３０】
１  フック
２  商品札支持部
３  第一の幅広部
４  第二の幅広部
５  窪み部
【図１】
0003207084.tif 000003
【図２】
0003207084.tif 000004
【図３】
0003207084.tif 000005